(57)【要約】【課題】既存の蓄熱資材の蓄熱効率を向上させ得る技術の実現。【解決手段】容器12内に蓄熱物質14を封入した蓄熱資材10であって、容器12の表面に、近赤外線吸収物質を含む塗料32を塗布した吸熱フィルム34をラッピングした。【効果】蓄熱資材の容器の表面にフタロシアニン等の近赤外線吸収物質を配置しているため、昼間には近赤外線吸収物質が太陽熱を効率的に吸収し、容器内の蓄熱物質の温度も上昇する。このため、夜間において高い温度で放熱することが可能となり、暖房の燃料消費量を大幅に抑制することができる。【選択図】図２
2019135425.tif 000002
【特許請求の範囲】
【請求項１】
容器内に蓄熱物質を封入した蓄熱資材であって、
上記容器の表面に、近赤外線吸収物質を配置したことを特徴とする蓄熱資材。
【請求項２】
上記近赤外線吸収物質が、フタロシアニンを含有するものであることを特徴とする請求項１に記載の蓄熱資材。
【請求項３】
上記容器の表面に、近赤外線吸収物質を混練した樹脂フィルムをラッピングしたことを特徴とする請求項１または２に記載の蓄熱資材。
【請求項４】
上記容器の表面に、近赤外線吸収物質を含む塗料を塗布した樹脂フィルムをラッピングしたことを特徴とする請求項１または２に記載の蓄熱資材。
【請求項５】
上記容器の表面に、近赤外線吸収物質を含む塗料を塗布したことを特徴とする請求項１または２に記載の蓄熱資材。
【請求項６】
上記容器の表面に、近赤外線吸収物質を混練した樹脂材よりなるジャケットを装着したことを特徴とする請求項１または２に記載の蓄熱資材。
【請求項７】
上記容器の表面の一部に、植物育成用の発光色素を含む物質を配置したことを特徴とする請求項１〜６の何れかに記載の蓄熱資材。
【発明の詳細な説明】
【技術分野】
【０００１】
この発明は蓄熱資材に係り、特に、昼間に太陽熱を蓄積しておき、夜間にこれを放出する機能を備えた蓄熱資材に関する。
【背景技術】
【０００２】
この種の蓄熱資材に関しては、すでに数々の先行例が存在しており、例えば特許文献１及び２においては、対向配置された一対の面部材よりなる扁平形状のカプセル容器本体内に、塩化カルシウム水和物と水との混合物よりなる蓄熱物質を収納した蓄熱カプセルが開示されている。
このような蓄熱カプセルを多数用意し、ボルト等を介して相互に連結したものを温室に配置しておくことにより、昼間は太陽熱を吸収して温室内温度が過昇温することを防止できると共に、夜間には昼間の中に吸熱・蓄熱しておいた太陽熱を放出することにより、加温燃料費を節約することができる。
【０００３】
【特許文献１】特開２００５−３４５０８１号公報
【特許文献２】特開２００７−１４７１６５号公報
【発明の概要】
【発明が解決しようとする課題】
【０００４】
このような蓄熱資材には貫通孔が設けられており、フックに引っ掛けたり、ボルトやワイヤ等を介して相互に連結したりすることにより、比較的広い温室内に多数の蓄熱資材を効率的に配置することができるように工夫されている。
しかしながら、個々の蓄熱資材の蓄熱効率を向上させることができれば、設置個数を徒に増やすことなく、さらなる加熱燃料費の節約が可能となる。
この発明は、このような視点に立ち、既存の蓄熱資材の蓄熱効率を向上させ得る技術の実現を目的として案出された。
【課題を解決するための手段】
【０００５】
すなわち、請求項１に記載した蓄熱資材は、容器内に蓄熱物質を封入した蓄熱資材であって、上記容器の表面に、近赤外線吸収物質を配置したことを特徴としている。
【０００６】
また、請求項２に記載した蓄熱資材は、請求項１の蓄熱資材であって、上記近赤外線吸収物質が、フタロシアニンを含有するものであることを特徴としている。
【０００７】
請求項３に記載した蓄熱資材は、請求項１または２の蓄熱資材であって、上記容器の表面に、近赤外線吸収物質を混練した樹脂フィルムをラッピングしたことを特徴としている。
【０００８】
請求項４に記載した蓄熱資材は、請求項１または２の蓄熱資材であって、上記容器の表面に、近赤外線吸収物質を含む塗料を塗布した樹脂フィルムをラッピングしたことを特徴としている。
【０００９】
請求項５に記載した蓄熱資材は、請求項１または２の蓄熱資材であって、上記容器の表面に、近赤外線吸収物質を含む塗料を塗布したことを特徴としている。
【００１０】
請求項６に記載した蓄熱資材は、請求項１または２の蓄熱資材であって、上記容器の表面に、近赤外線吸収物質を混練した樹脂材よりなるジャケットを装着したことを特徴としている。
【００１１】
請求項７に記載した蓄熱資材は、請求項１〜６の蓄熱資材であって、上記容器の表面の一部に、植物育成用の発光色素を含む物質を配置したことを特徴としている。
【発明の効果】
【００１２】
この発明に係る蓄熱資材の場合、蓄熱資材の容器の表面にフタロシアニン等の近赤外線吸収物質を配置しているため、昼間には近赤外線吸収物質が太陽熱を効率的に吸収し、容器内の蓄熱物質の温度も上昇する。この結果、夜間において高い温度で放熱することが可能となり、暖房の燃料消費量を大幅に抑制することができる。
【発明を実施するための最良の形態】
【００１３】
図１(a)は、この発明に係る蓄熱資材10の平面図であり、図１(b)は、そのＡ−Ａ断面図である。
この蓄熱資材10は、ポリエチレン等の合成樹脂よりなる比較的扁平な形状をした容器12内に、塩化カルシウム水和物と水との混合物等よりなる蓄熱物質14を充填してなる。
【００１４】
容器12の前側面16には、蓄熱物質14を充填するための穴を塞ぐキャップ18が嵌装されている。
また、容器12の上面から下面に向けて複数の貫通孔20が形成されており、この貫通孔20にボルトやロープ、フック等を挿通することにより、他の蓄熱資材10や設置対象物との連結がなされる。
【００１５】
容器12の上面には、矩形状凹部22が形成されている。
また容器12の上面には、表面積を広げる目的で複数本の波状凸部24が、相互に一定の間隔をおいて平行するように形成されている。
【００１６】
つぎに、この蓄熱資材10の表面に近赤外線吸収物質を配置させる方法について説明する。
まず、図２(a)に示すように、蓄熱資材10の容器12の表面に対し、コロナ放電を用いた粗面化処理を施す。
【００１７】
つぎに、図２(b)に示すように、容器12の上面及び下面に、吸熱フィルム34と接着シート36との積層体38を配置させ、図示しないラッピング装置を介して、加熱収縮及び真空吸引を用いたラッピング処理を施す。
この結果、容器12の上面、下面及び側面には、吸熱フィルム34が配置される。
上記のように、事前に容器12の表面に対してはコロナ放電による粗面化処理が施されているため、吸熱フィルム34との間で高い密着性が実現される。
【００１８】
上記の吸熱フィルム34は、例えば、ポリカーボネートシート30の裏面に、フタロシアニン等を含む近赤外線吸収色素塗料32を塗布したものよりなる。
ただし、適当な合成樹脂材にフタロシアニン等の近赤外線吸収色素を混練させた材料で吸熱フィルム34を形成することもできる。
【００１９】
この吸熱フィルム34によってラッピングされた蓄熱資材10を温室内に設置しておくと、昼間には吸熱フィルム34の近赤外線吸収物質が太陽熱を効率的に吸収し、蓄熱資材10の表面温度を従来の蓄熱資材に比べて数％上昇させることが可能となる。
この結果、容器12内の蓄熱物質14の温度も上昇するため、その分、夜間において高い温度で放熱することが可能となり、暖房の燃料消費量を大幅に抑制することができる。
【００２０】
図３は、容器12の表面に吸熱フィルム34をラッピングした蓄熱資材10（対策品）と、容器12の表面に吸熱フィルム34をラッピングしていない従来の蓄熱資材（未対策品）の表面温度を、時系列に沿って測定した結果を示すグラフである。
図示の通り、外気温の上昇に伴い、それぞれの表面温度は上昇していくが、日差しが強まる10時〜15時の間において、対策品は未対策品に対して常に高い温度が記録されており、ピーク時には両者間に３℃以上の温度差が生じている。
【００２１】
上記においては、容器12の上面及び下面の両方に吸熱フィルム34をラッピングする例を示したが、この発明はこれに限定されるものではない。
例えば、上面または下面の何れか一方については、吸熱フィルム34の代わりに、ポリカーボネートシートの裏面に植物育成用の発光色素塗料を塗布した光放射フィルムをラッピングするように構成してもよい。
この場合、吸熱フィルム34を配置した面に太陽光が当たり、反対面が栽培植物側に向くように蓄熱資材10を設置することにより、熱エネルギーの吸収率向上効果と植物育成の促進効果が同時に得られる。
上記の「発光色素塗料」は、例えば、ナノフタロシアニン系、金属錯体系、ホウ素錯体系の塗料が該当する。
【００２２】
図４は、この発明の他の実施形態として、蓄熱資材10の容器12の上面及び下面に、フタロシアニン等の近赤外線吸収色素を含む吸熱塗料40を吹き付け等よって直接塗布し、吸熱層を形成する例を示している。
【００２３】
この場合も上記と同様、容器12の表面には事前にコロナ放電を用いた表面粗面化処理が施されている。
また、上面または下面の何れか一方については、近赤外線吸収色素の代わりに植物育成用の発光色素を含む塗料を塗布するように構成してもよい。
【００２４】
図５及び図６は、蓄熱資材10の表面に、吸熱ジャケット50を装着する様子を示す斜視図である。
【００２５】
吸熱ジャケット50は、ポリカボネート等の合成樹脂材に、フタロシアニン等の近赤外線吸収色素を混練した素材よりなり、蓄熱資材10の上面を覆う面積及び形状を備えた平面部52と、蓄熱資材10の前側面16及び後側面53に係合される４つの湾曲爪部54を備えている。
【００２６】
吸熱ジャケット50の平面部52には、蓄熱資材10の上面に形成された矩形状凹部22に対応する矩形状凸部55と、波状凸部24に対応する複数の波状凹部56が形成されている。
また吸熱ジャケット50の平面部52には、蓄熱資材10に形成された貫通孔20と連通する複数の貫通孔58が形成されている。
【００２７】
この吸熱ジャケット50の各湾曲爪部54を、蓄熱資材10の前側面16及び後側面53に係合することにより、図６に示すように、吸熱ジャケット50は蓄熱資材10の上面に装着される。
図示は省略したが、吸熱ジャケット50の平面部52と、蓄熱資材10の上面との間には適当な接着剤が塗布されているため、両者間の密着性が確保されている。
【図面の簡単な説明】
【００２８】
【図１】この発明に係る蓄熱資材を示す平面図及び断面図である。
【図２】蓄熱資材の表面に近赤外線吸収物質を塗布した吸熱フィルムをラッピングする例を示す断面図である。
【図３】この発明に係る蓄熱資材の効果を示すグラフである。
【図４】蓄熱資材の表面に近赤外線吸収物質を直に塗布する例を示す断面図である。
【図５】蓄熱資材の表面に近赤外線吸収物質を含有する吸熱ジャケットを装着する様子を示す斜視図である。
【図６】蓄熱資材の表面に近赤外線吸収物質を含有する吸熱ジャケットを装着した状態を示す斜視図である。
【符号の説明】
【００２９】
10    蓄熱資材
12    容器
14    蓄熱物質
16    容器の前側面
18    キャップ
20    貫通孔
22    矩形状凹部
24    波状凸部
30    ポリカーボネートシート
32    近赤外線吸収色素塗料
34    吸熱フィルム
36    接着シート
38    積層体
40    吸熱塗料
50    吸熱ジャケット
52    平面部
53    容器の後側面
54    湾曲爪部
55    矩形状凹部
56    波状凹部
58    貫通孔
【図１】
2019135425.tif 000003
【図２】
2019135425.tif 000004
【図３】
2019135425.tif 000005
【図４】
2019135425.tif 000006
【図５】
2019135425.tif 000007
【図６】
2019135425.tif 000008